【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
亜鉛又は亜鉛合金の金属体（１０）に、熱交換部（２）と熱媒体（Ｆ）を流す内部通路（４）とを備え、熱交換部（２）は被媒体（Ｇ）内に突出する放熱部（３）と、被媒体（Ｇ）が通過する溝部（８）とから成り、内部通路（４）が直線路（５）と螺旋路（６）の少なくとも一方であることを特徴とする熱交換体。
【請求項２】
放熱部（３）はピン状放熱部（３Ａ）と板状放熱部（３Ｂ）と環状放熱部（３Ｃ）との少なくとも一つであり、溝部（８）は放熱部厚さ（ｓ）以下の小幅溝部（８ａ）と、被媒体（Ｇ）の通過容易な広幅溝部（８ｂ）との少なくとも一方であることを特徴とする請求項１記載の熱交換体。
【請求項３】
内部通路（４）は金属体（１０）の一端側（１ａ）から他端側（１ｂ）に抜けている貫通タイプ（４Ａ）と、金属体（１０）の一端側（１ａ）から途中まで達し、途中で折返して一端側（１ａ）に戻るリターンタイプ（４Ｂ）と、複数備えた複数路タイプ（４Ｃ）の何れか１つであることを特徴とする請求項１または２記載の熱交換体。
【請求項４】
請求項１〜３の熱交換体（１）を２個以上用いて構成した熱交換ブロック（９）を備え、該ブロック（９）を構成する熱交換体（１）が直列接続、並列接続、直並列接続していることを特徴とする熱交換器。
【請求項５】
請求項１〜３の熱交換体（１）と請求項４の熱交換器（２０）との少なくとも一方を用いて熱交換回路（Ｐ）を構成していることを特徴とするクーラー、エアコン、冷蔵庫、除湿器、自動車、電車、航空機、船舶等の熱交換ユニット。
【手続補正２】
【補正対象書類名】明細書
【補正対象項目名】００１１
【補正方法】変更
【補正の内容】
【００１１】
本発明の熱交換体は、請求項１として、亜鉛又は亜鉛合金の金属体に、熱交換部と熱媒体を流す内部通路とを備え、熱交換部は被媒体内に突出する放熱部と、被媒体が通過する溝部とから成り、内部通路が直線路と螺旋路の少なくとも一方であることを特徴とする。
請求項２は、請求項１の熱交換体において、放熱部はピン状放熱部と板状放熱部と環状放熱部との少なくとも一つであり、溝部は放熱部厚さ以下の小幅溝部と、被媒体の通過容易な広幅溝部との少なくとも一方であることを特徴とする。
【手続補正３】
【補正対象書類名】明細書
【補正対象項目名】００１２
【補正方法】変更
【補正の内容】
【００１２】
ここで金属体とは、熱伝導率が高くて加工の容易なものが好ましく、形状としては、円柱状、楕円状、角柱状、板状等を成すもの、及びそれらの中空体も含まれる。
ここで熱交換部とは、被媒体と内部通路内を通る熱媒体の温度差により熱エネルギーを伝える部位で一体に備えるものの全てを言い、放熱部の内、ピン状放熱部とは、棒状に突出するものを言い、板状放熱部とは、適宜高さと厚さと適宜長さを有するものを言い、環状放熱部とは、適宜高さと厚さを有する無端板を言う。
ここで溝部とは、放熱部の少なくとも両側に形成するもので、その内、小幅溝部とは、ピン放熱部を一定範囲に多数形成可能にするものを言い、広幅溝部とは、被媒体の通過抵抗が少なくて流れやすく、小幅溝部の２倍以上の溝幅を有し、そのことによって小幅溝部に留まりがちな被媒体を吸引するものを言う。
ここで熱媒体及び被媒体とは、熱を伝える媒体で、例えば水や油等の液体と、空気やガス、或いは蒸気等の気体とを言い、冷媒及び加熱体として使用し得るものの全てを言う。
【手続補正４】
【補正対象書類名】明細書
【補正対象項目名】００１３
【補正方法】変更
【補正の内容】
【００１３】
請求項３は、請求項１，２記載の熱交換体において、内部通路は金属体の一端側から他端側に抜けている貫通タイプと、金属体の一端側から途中まで達し、途中で折返して一端側に戻るリターンタイプと、複数備えた複数路タイプの何れか１つであることを特徴とする。
【手続補正５】
【補正対象書類名】明細書
【補正対象項目名】００１４
【補正方法】変更
【補正の内容】
【００１４】
ここで内部通路とは、熱媒体を通す流路の全てを言い、その形状は丸孔、楕円、矩形、三角形、多角形等、自由である。また、貫通タイプとは、一端側から他端側に貫通しているもので、直線状に貫通する直線式貫通路と、螺旋状に貫通する螺旋式貫通路を言い、リターンタイプとは、一端側から途中まで直線状を成し、途中で折り返して一端側に戻る直線式Ｕ字路と、一端側から途中まで螺旋状を成し、途中で折り返して螺旋状に戻る螺旋式Ｕ字路と、直線路と螺旋路とを一端側から途中まで達し、途中で連結している複合式Ｕ字路とを言い、複数路タイプとは、直線路を複数備えた直線式複数路と、螺旋路を複数備えた螺旋式複数路と、直線路と螺旋路との少なくとも一方を複数備えた複合式複数路とを言う。
ここで亜鉛又は亜鉛合金とは、鋼材に比べて融点や沸点が低く、放電エネルギーで溶融するものを言う。
【手続補正６】
【補正対象書類名】明細書
【補正対象項目名】００１５
【補正方法】変更
【補正の内容】
【００１５】
本発明の熱交換器は、請求項４として、請求項１〜３の熱交換体を２個以上用いて構成した熱交換ブロックを備え、該ブロックを構成する熱交換体が直列接続、並列接続、直並列接続していることを特徴とする。
本発明の熱交換ユニットは、請求項５として、クーラー、エアコン、冷蔵庫、除湿器、自動車、電車、航空機、船舶等において請求項１〜３の熱交換体と請求項４の熱交換器との少なくとも一方を用いて熱交換回路を構成していることを特徴とする。
【手続補正７】
【補正対象書類名】明細書
【補正対象項目名】００１６
【補正方法】変更
【補正の内容】
【００１６】
ここで熱交換ブロックとは、本発明の熱交換体を直列接続又は並列接続したもの、或は直列と並列とを併用した直並列接続したものを言い、熱交換器とは、熱交換ブロックのみから成るもの、熱交換ブロックと送風器とから成るもの、熱交換ブロックと送風器と膨張弁から成るもの等を言う。
ここで熱交換ユニットとは、熱交換回路に本発明の熱交換体と熱交換器との少なくとも一方を有するもので、主に持ち運び可能及び室内に配置可能な電気製品やガス製品等、或いは熱交換器の一部がボイラや発電機、或はエンジン等の熱エネルギーを利用するものを言い、代表的なものとして、クーラー、エアコン、冷蔵庫、除湿器、パソコン、自動車におけるエンジン冷却水の熱変換、及び室内の冷暖房装置、大型コンピューターにおける冷却装置等を言う。
【手続補正８】
【補正対象書類名】明細書
【補正対象項目名】００１７
【補正方法】変更
【補正の内容】
【００１７】
本発明による熱交換体は上記構造の通りであるから、次に記載する効果を奏する。
請求項１の熱交換体は、金属体に内部通路と熱交換部とを直接備えているので、内部通路から被媒体への熱伝導、或いは被媒体から内部通路への熱伝導が無駄なく伝えることができる。即ち、熱交換率が飛躍的に向上するため、従来品と比較して少スペースで同等性能を確保できる。その結果、熱交換器は用途によって形状やサイズは異なるが、広範囲な応用が可能となる。しかも、一体物であるから、従来の熱交換器に比べ、加工も容易であるし、高性能、小型化、低コストリサイクル性も向上する。
内部通路として直線路を採用し、該路を加熱孔若しくは冷却孔として用いると、熱交換体の温度を均一に上げたり下げたりすることができる。しかも加工も容易である。また螺旋路を採用し、該路を加熱孔若しくは冷却孔として用いると、同じ金属体に対する通路長さを直線路に比べて数倍〜数十倍長くなるので、その分、熱交換率が飛躍的に向上する。その結果、同じ熱交換率の従来熱交換器に比べ、加工サイズは半分以下、熱効率は２倍以上になる。即ち、著しく小型化できる。
金属体が亜鉛又は亜鉛合金で高い熱伝導特性を有しているので、短期間の温度上昇や温度降下が要求される熱交換体として最適である。また、放電加工の陰極材料として用いた場合、鋼材の仕事関数が約４．５ｅＶであるのに対し、亜鉛合金は約３．４ｅＶと低いので、鋼材やアルミニウム合金と比べて多様な溝部と放熱部を形成することができるし、その加工も至って容易である。特に、螺旋孔を精度よく形成することができる。更に、融点が３８０℃であるから、４２０℃程度で容易に溶解・再生し得る。即ち、リサイクルの簡素化に絶大な効果を発揮する。
【手続補正９】
【補正対象書類名】明細書
【補正対象項目名】００１８
【補正方法】変更
【補正の内容】
【００１８】
請求項２の熱交換体は、請求項１の特徴に加えて、放熱部としてピン状放熱部を採用すると、一定範囲における放熱面積が飛躍的に増大し、その分、熱交換効率も飛躍的に向上する。即ち、熱交換面積を増やすことで熱効率を高めることができる。また、板状放熱部と環状放熱部は、その形状は従来と略同じであるが、一体に形成されていることで、従来熱交換器より熱伝導率も向上するし、加工も容易になる。
更に、溝部を放熱部厚さ以下の小幅溝部とし、一定範囲にピン状放熱部を密に設けた密集放熱部を採用することで、熱交換率を向上することができる。また、広幅溝部を採用すると、小幅溝部における被媒体の通過に抵抗があっても、広幅溝部を通過する被媒体にて吸引されるので、密集放熱部の熱交換率も向上する。
請求項３の熱交換体は、請求項１，２の特徴に加えて、内部通路として貫通タイプを採用すると、加工が容易で、しかも直列接続に適する。また、リターンタイプを採用すると、熱媒体を一端側から流入して一端側に戻すことができるので、即ち、一端側に流入口と流出口とを設けることができるので、その利点を利用した熱交換回路を構成し得る。更に、複数路タイプを採用すると、直線路と螺旋路の利点を活用することができる。
【手続補正１０】
【補正対象書類名】明細書
【補正対象項目名】００１９
【補正方法】変更
【補正の内容】
【００１９】
本発明による熱交換器は請求項４の通りであるから、次に記載する効果を奏する。
熱交換ブロックは本発明の熱交換体を直列接続、並列接続、直並列接続したものであるから、大きさの異なる熱交換器を自由に構成し得る。しかも、同じ熱交換体を用いて構成するので、量産化に適し、安価に提供し得る。特に、熱交換体を最も熱効率の高い状態に接続構成したり、熱交換器のデザインに合わせて接続構成し得る。
【手続補正１１】
【補正対象書類名】明細書
【補正対象項目名】００２０
【補正方法】変更
【補正の内容】
【００２０】
本発明の熱交換ユニットは請求項５の通りであるから、次に記載する効果を奏する。
本発明の熱交換体と熱交換器の少なくとも一方を用いて熱交換回路を構成しているので、従来に比較して熱交換回路を簡素化し、極めて小型化し得るばかりか、コスト低減することも可能である。その結果、熱交換ユニットのクーラー、エアコン、冷蔵庫、除湿器、自動車、電車、航空機、船舶等のデザインの自由度が飛躍的に向上する。
【手続補正１２】
【補正対象書類名】明細書
【補正対象項目名】００２１
【補正方法】削除
【補正の内容】